(57)【特許請求の範囲】
【請求項１】
操作レバーを握ることによりラベルを発行し、これを貼り付けることができるようにした携帯式ラベル貼付機の検査装置であって、
ベース部と、
このベース部に取り付けてあるとともに前記携帯式ラベル貼付機を所定の高さに支持する貼付機取付け台と、
前記操作レバーを所定の操作力で操作可能である往復定圧部と、
前記ベース部に垂直に取り付けてあるとともにこの往復定圧部を前記操作レバーに対して往復動可能に案内可能なスライドガイドと、
前記往復定圧部をこのスライドガイドに沿って往復動可能に駆動する定圧部駆動部と、
を備え、
前記往復定圧部は、前記定圧部駆動部の駆動用カムに当接可能なカム当接コロを有するとともに、前記操作レバーに当接可能なレバー当接コロを有し、
前記スライドガイドと前記往復定圧部との間に、第１のスライダーレール、およびこの第１のスライダーレールに沿って移動可能な第１のスライダーを設け
前記駆動用カムの回転により前記往復定圧部を上昇させて、前記操作レバーを下から押し上げ、その後下降するようにしたことを特徴とする携帯式ラベル貼付機の検査装置。
【請求項２】
前記往復定圧部は、前記スライドガイドに沿って移動する移動部と、この移動部において発生する前記操作レバーへの前記操作力を切り替え可能な操作力切替え部と、を有することを特徴とする請求項１記載の携帯式ラベル貼付機の検査装置。
【請求項３】
前記操作力切替え部は、前記移動部に取り付けた一対の対向プレートの間にこれを設けたことを特徴とする請求項２記載の携帯式ラベル貼付機の検査装置。
【請求項４】
前記移動部と前記操作力切替え部との間に、第２のスライダーレール、およびこの第２のスライダーレールに沿って移動可能な第２のスライダーを設けたことを特徴とする請求項２記載の携帯式ラベル貼付機の検査装置。
【請求項５】
前記操作力切替え部は、前記操作レバーに当接可能なレバー当接コロに対して付勢力を発生する操作力スプリングと、この操作力スプリングによる付勢力を調節可能なスペーサーと、を有することを特徴とする請求項２記載の携帯式ラベル貼付機の検査装置。
【請求項６】
前記定圧部駆動部の駆動速度および前記往復定圧部の往復動回数などの制御を行う制御部を有することを特徴とする請求項１記載の携帯式ラベル貼付機の検査装置。
【発明の詳細な説明】
【０００１】
【発明の属する技術分野】
本発明は携帯式ラベル貼付機の検査装置にかかるもので、とくに携帯式ラベル貼付機の調整および検査などを機械的に行うための携帯式ラベル貼付機の検査装置に関するものである。
【０００２】
【従来の技術】
従来の携帯式ラベル貼付機は、貼付機本体に枢着した操作レバーを貼付機本体のグリップとともに把持し所定操作力で握ることにより、内部の機構を駆動し、ラベルの移送や発行および必要であれば印字を行い、所定の物品たとえば商品その他に貼り付けるために利用されるものである。一般的には、所定握力による握り動作で所定印字圧によるラベルなどへの印字（スタンプ印字）を行い、握り開放動作でラベルの移送および発行を行う。
【０００３】
この携帯式ラベル貼付機の製造最終工程において、その操作レバーの操作の確認とともに、携帯式ラベル貼付機全体の調整および検査を行う必要がある。この検査工程において、従来は人手により、上記操作レバーを握って操作することが行われていた。
しかしながら、駆動源として人間の握力を利用している製品であるため、その生産工程において、手作業に依存していた調整作業および検査作業にばらつきが出ること、たとえば印字圧や印字品質に検査員によりばらつきが出ること、長時間の作業には限度がありとくに耐久試験は事実上困難であること、および労働作業性に劣ることなどの問題がある。
しかも、組立製品である携帯式ラベル貼付機には、当該調整および検査作業が必須であり、機械的な作業が望まれていた。
【０００４】
【発明が解決しようとする課題】
本発明は以上のような諸問題にかんがみなされたもので、機械的に調整および検査作業を行うことができる携帯式ラベル貼付機の検査装置を提供することを課題とする。
【０００５】
また本発明は、作業者の人手を煩わせることなく、一定のレベルで調整および検査作業が可能である携帯式ラベル貼付機の検査装置を提供することを課題とする。
【０００６】
また本発明は、調整および検査のばらつきを解消することができる携帯式ラベル貼付機の検査装置を提供することを課題とする。
【０００７】
また本発明は、携帯式ラベル貼付機における印字圧や印字品質の調整ないし検査にばらつきが出ないようにした携帯式ラベル貼付機の検査装置を提供することを課題とする。
【０００８】
また本発明は、長時間にわたる調整および検査を実行することができる携帯式ラベル貼付機の検査装置を提供することを課題とする。
【０００９】
また本発明は、携帯式ラベル貼付機の機種や大きさなどに応じて検査の操作力を切り替えることができる携帯式ラベル貼付機の検査装置を提供することを課題とする。
【００１０】
【課題を解決するための手段】
すなわち本発明は、携帯式ラベル貼付機を貼付機取付け台に支持するように取り付けること、その操作レバーを機械的に操作可能とすることに着目したもので、操作レバーを握ることによりラベルを発行し、これを貼り付けることができるようにした携帯式ラベル貼付機の検査装置であって、ベース部と、このベース部に取り付けてあるとともに前記携帯式ラベル貼付機を所定の高さに支持する貼付機取付け台と、前記操作レバーを所定の操作力で操作可能である往復定圧部と、前記ベース部に垂直に取り付けてあるとともにこの往復定圧部を前記操作レバーに対して往復動可能に案内可能なスライドガイドと、前記往復定圧部をこのスライドガイドに沿って往復動可能に駆動する定圧部駆動部と、を備え、前記往復定圧部は、前記定圧部駆動部の駆動用カムに当接可能なカム当接コロを有するとともに、前記操作レバーに当接可能なレバー当接コロを有し、前記スライドガイドと前記往復定圧部との間に、第１のスライダーレール、およびこの第１のスライダーレールに沿って移動可能な第１のスライダーを設け、前記駆動用カムの回転により往復定圧部を上昇させて、前記操作レバーを下から押し上げ、その後下降するようにしたことを特徴とする携帯式ラベル貼付機の検査装置である。
【００１３】
上記往復定圧部は、上記スライドガイドに沿って移動する移動部と、この移動部において発生する上記操作レバーへの上記操作力を切り替え可能な操作力切替え部と、を有することができる。
【００１４】
上記操作力切替え部は、上記移動部に取り付けた一対の対向プレートの間にこれを設けることができる。
【００１５】
上記移動部と上記操作力切替え部との間に、第２のスライダーレール、およびこの第２のスライダーレールに沿って移動可能な第２のスライダーを設けることができる。
【００１６】
上記操作力切替え部は、上記操作レバーに当接可能なレバー当接コロに対して付勢力を発生する操作力スプリングと、この操作力スプリングによる付勢力を調節可能なスペーサーと、を有することができる。
【００１７】
上記定圧部駆動部の駆動速度および上記往復定圧部の往復動回数などの制御を行う制御部を有することができる。
【００１８】
本発明による携帯式ラベル貼付機の検査装置においては、携帯式ラベル貼付機を貼付機取付け台に着脱可能に取り付け、スライドガイドに沿って往復動する往復定圧部によりその操作レバーを機械的に操作可能とするようにしたので、作業者が操作レバーを握って操作すると同様に携帯式ラベル貼付機を操作可能で、その印字動作、ラベル送り動作およびラベル発行動作などを行わせることができ、印字圧や印字品質その他の項目についての調整および検査作業の均一化とともに、長時間安定した操作が可能で、作業者の負担を軽減することができる。
【００１９】
【発明の実施の形態】
つぎに本発明の実施の形態による携帯式ラベル貼付機の検査装置１を図１ないし図６にもとづき説明する。
図１は、携帯式ラベル貼付機の検査装置１の斜視図であって、携帯式ラベル貼付機の検査装置１は、ベース部２と、貼付機取付け台３と、定圧部駆動部４と、スライドガイド５と、往復定圧部６と、制御部７と、を有する。
【００２０】
図２は、貼付機取付け台３および携帯式ラベル貼付機Ｌの斜視図、図３は、定圧部駆動部４の斜視図、図４は、スライドガイド５および往復定圧部６の分解斜視図である。
ベース部２は、とくに図４に示すように、鉄その他の金属板からなる平板状のプレート部材であって、その所定位置にカム用開口部８を形成してあるとともに、四本の脚部９により所定の高さにこれを支持してある。
【００２１】
貼付機取付け台３は、とくに図１および図２に示すように、その左右一対の固定プレート１０の間に携帯式ラベル貼付機Ｌを位置させ、固定用アーム１１により着脱可能に取り付けるもので、支持ボルト１２によりベース部２から所定の高さにこれを支持する。
また、固定プレート１０の一方の端部を切り欠いてレバー露出部１３を形成し、このレバー露出部１３において携帯式ラベル貼付機Ｌの操作レバーＳを外部（往復定圧部６の上方）に臨ませる。
【００２２】
定圧部駆動部４は、とくに図３に示すように、駆動モーター１４と、駆動モーター１４にタイミングベルト１５を介して接続した駆動用カム１６と、を有する。
この駆動用カム１６がベース部２のカム用開口部８（図１）において下方から往復定圧部６の下部に臨み、後述するように、往復定圧部６図中上下方向にスライドガイド５に沿って往復動させ、携帯式ラベル貼付機Ｌの操作レバーＳを操作可能である。
【００２３】
スライドガイド５は、とくに図１および図４に示すように、携帯式ラベル貼付機Ｌの操作レバーＳに向かって往復定圧部６を往復動可能に案内可能である。ボルト１７によりカム用開口部８の近傍においてベース部２に固定したガイド取付け板１８に、ボルト１９によりスライドガイド５をベース部２に垂直に取り付けてある。
ボルト２０により第１のスライダーレール２１をスライドガイド５に取り付けてある。したがって、第１のスライダーレール２１は、スライドガイド５を介してベース部２に垂直に固定されていることになる。
【００２４】
図５は、往復定圧部６の組立て状態の斜視図である。
往復定圧部６は、とくに図４および図５に示すように、移動部２２と、カム当接コロ２３と、レバー当接コロ２４と、操作力切替え部２５と、を有する。
【００２５】
移動部２２は、第１のスライダーレール２１に沿って携帯式ラベル貼付機Ｌの操作レバーＳ方向に往復動するように移動し、操作レバーＳへの操作力が発動するもので、第１のスライダー２６と、移動部プレート２７と、第１のコロ取付けブロック２８と、一対の対向プレート（上側対向プレート２９、下側対向プレート３０）と、第２のスライダーレール３１と、上記カム当接コロ２３と、を有する。
【００２６】
第１のスライダー２６には、ボルト３２により移動部プレート２７を取り付け、互いに一体に第１のスライダーレール２１に対して上下動可能とする。
移動部プレート２７には、ボルト３３により第１のコロ取付けブロック２８をその下部底面に取り付けるとともに、ボルト３４により上側対向プレート２９をその上方部に、ボルト３５により下側対向プレート３０をその下方に取り付ける。
【００２７】
第１のコロ取付けブロック２８には、ボルト３６およびナット３７によりカム当接コロ２３を正逆回転可能に取り付け、このカム当接コロ２３が定圧部駆動部４の駆動用カム１６（図１、図３）に当接可能となる。
【００２８】
上側対向プレート２９には、その下面に上側ストローク調整ビス３８を取り付ける。
下側対向プレート３０には、その面に対して垂直に軸ピン３９を立てるとともに、軸用ネジ穴４０を形成する。
【００２９】
第２のスライダーレール３１は、ボルト４１により移動部プレート２７の中央部にこれを取り付ける。
【００３０】
操作力切替え部２５は、移動部２２において発生する操作レバーＳへの操作圧力を切り替え可能な部分であり、第２のスライダー４２と、切替え部プレート４３と、第２のコロ取付けブロック４４と、上記一対の対向プレート（上側対向プレート２９、下側対向プレート３０）と、上側スプリングシート４５および下側スプリングシート４６と、操作力スプリング４７と、上記レバー当接コロ２４と、を有する。
【００３１】
第２のスライダー４２には、ボルト４８により切替え部プレート４３を取り付け、互いに一体に第２のスライダーレール３１に対して上下動可能とする。
切替え部プレート４３には、その上部頂面に下側ストローク調整ビス４９を取り付けて、上側対向プレート２９の上側ストローク調整ビス３８に対向させるとともに、ボルト５０により第２のコロ取付けブロック４４を、ボルト５１により上側スプリングシート４５をそれぞれ互いに並べて取り付ける。
なお、上側ストローク調整ビス３８および下側ストローク調整ビス４９は、操作力スプリング４７の付勢力により常時互いに当接しているもので、それぞれのねじ込み量を調節することにより、操作レバーＳに対するレバー当接コロ２４のストローク量を微調整することができるようになっている。
【００３２】
第２のコロ取付けブロック４４には、ボルト５２およびＥ型ワッシャ５３よりレバー当接コロ２４を正逆回転可能に取り付け、このレバー当接コロ２４が携帯式ラベル貼付機Ｌの操作レバーＳに当接可能となる。
【００３３】
上側スプリングシート４５には、軸ボルト５４を取り付けるとともに、この軸ボルト５４を挿通した操作力スプリング４７の上部を収容する。
下側スプリングシート４６には、軸ボルト貫通孔５５およびピン貫通孔５６を形成し、軸ボルト貫通孔５５に軸ボルト５４を貫通し、下側対向プレート３０の軸用ネジ穴４０に軸ボルト５４の下部をナット５７により固定して上側スプリングシート４５と下側スプリングシート４６との間に軸ボルト５４を取り付ける。ピン貫通孔５６には、下側対向プレート３０の軸ピン３９を遊嵌して、この軸ピン３９を軸にして下側スプリングシート４６が傾斜可能であるようにする。
【００３４】
操作力スプリング４７は、たとえば圧縮スプリングであって、上側スプリングシート４５と下側スプリングシート４６との間に位置し、上側スプリングシート４５および切替え部プレート４３を介して下側ストローク調整ビス４９が上側ストローク調整ビス３８に所定の付勢力で当接するとともに、切替え部プレート４３および第２のコロ取付けブロック４４を介してレバー当接コロ２４が操作レバーＳに同じ所定の付勢力で当接するようにする。
【００３５】
図６は、操作力切替え部２５の要部側面図であって、下側スプリングシート４６とナット５７との間に挿入可能なスペーサー５８および治具５９（図５も参照）を準備する。
操作力スプリング４７の付勢力に抗して、治具５９を下側スプリングシート４６とナット５７との間に挿入した状態で、任意の枚数のスペーサー５８を挿入し、その合計の厚さ分だけ、下側スプリングシート４６を軸ピン３９を支点として傾斜させ、操作力スプリング４７の付勢力を高め、レバー当接コロ２４による携帯式ラベル貼付機Ｌの操作レバーＳへの操作力（握りトルク）を増減させることができる。
たとえば、スペーサー５８を挿入しない状態で、操作力スプリング４７の操作力を２Ｋｇ／ｃｍ２にセットし、たとえば厚さ１ｍｍのスペーサー５８の一枚あたり１Ｋｇ／ｃｍ２の増加が可能なようにする。
【００３６】
制御部７は、とくに図１に示すように、ベース部２に取り付けた操作部６０および定圧部駆動部４を制御するもので、定圧部駆動部４の開始ボタン６１および停止ボタン６２、さらには定圧部駆動部４の駆動速度および往復定圧部６の往復動回数などの制御を行う。
【００３７】
こうした構成の携帯式ラベル貼付機の検査装置１において、貼付機取付け台３に携帯式ラベル貼付機Ｌをセットし、操作レバーＳをレバー露出部１３に露出した状態として往復定圧部６のレバー当接コロ２４を操作レバーＳに当接状態とするとともに、制御部７により検査装置１における定圧部駆動部４の駆動速度および往復定圧部６の往復動回数などの設定を行い、操作部６０の開始ボタン６１を押して定圧部駆動部４の駆動を開始し、往復定圧部６を操作レバーＳに向かって往復動させる。
【００３８】
すなわち、定圧部駆動部４の駆動モーター１４により駆動用カム１６を回転させることによって、この駆動用カム１６に当接している往復定圧部６のカム当接コロ２３が移動部２２および操作力切替え部２５全体を第１のスライダーレール２１に沿って上下往復運動させる。
この操作力切替え部２５のレバー当接コロ２４がその上昇にともなって、携帯式ラベル貼付機Ｌの操作レバーＳを下から押し上げ、その下降にともなって、操作レバーＳの戻りスプリング（図示せず）の付勢力で操作レバーＳは元位置に復帰する。
【００３９】
より具体的には、レバー当接コロ２４がその上昇にともなって操作レバーＳを下から押し上げるときには、設定された操作力スプリング４７の付勢力に応じた操作力（握りトルク）で操作レバーＳを押し上げてゆき、操作レバーＳの可動距離分だけ移動させたのち、レバー当接コロ２４の上死点において、移動部２２のカム当接コロ２３のさらなる上昇に合わせて、第２のスライダー４２が第２のスライダーレール３１に対して相対的に下降し、作業者が手でグリップしたときの最後の握りに相当する時間だけ、操作レバーＳを一定時間だけ操作力スプリング４７の付勢力に応じた定圧（印字圧）で握り込む（押し上げた状態を維持する）ことになる。
カム当接コロ２３の下降にともなって、操作レバーＳはレバー当接コロ２４による操作から解除され、上記戻りスプリング（図示せず）の付勢力で元位置に復帰する。
【００４０】
この復帰のタイミングで、往復定圧部６のカム当接コロ２３が再び駆動用カム１６の上昇作用を受け、レバー当接コロ２４が再び操作レバーＳを上昇させ、以後同様の運転を繰り返す。
【００４１】
したがって、制御部７において定圧部駆動部４の駆動速度および往復定圧部６の往復動回数をセットすることにより、携帯式ラベル貼付機Ｌの単一操作あるいは連続打の機械的運転を可能とし、携帯式ラベル貼付機Ｌの調整、検査、さらには耐久試験などを任意に行うことができる。とくに、印字圧ないし印字品質について一定レベルの調整および検査を実現可能である。
【００４２】
また、治具５９およびスペーサー５８を用いた操作力切替え部２５における操作力スプリング４７の付勢力の調節により、操作レバーＳへの上昇付勢力を増減することができて、携帯式ラベル貼付機Ｌの設計操作力に応じた上昇付勢力ないし印字圧を得ることができる。
【００４３】
【発明の効果】
以上のように本発明によれば、当該検査装置により携帯式ラベル貼付機の操作を機械的に行うことができるようにしたので、人間の握力と同等の操作力を一定レベルとし、均等かつ連続的な運転を可能として、携帯式ラベル貼付機についての安定した調節、検査および試験を行うことができる。
【図面の簡単な説明】
【図１】本発明の実施の形態による携帯式ラベル貼付機の検査装置１の斜視図である。
【図２】同、貼付機取付け台３および携帯式ラベル貼付機Ｌの斜視図である。
【図３】同、定圧部駆動部４の斜視図である。
【図４】同、スライドガイド５および往復定圧部６の分解斜視図である。
【図５】同、往復定圧部６の組立て状態の斜視図である。
【図６】同、操作力切替え部２５の要部側面図である。
【符号の説明】
１  携帯式ラベル貼付機の検査装置（実施の形態、図１）
２  ベース部
３  貼付機取付け台
４  定圧部駆動部
５  スライドガイド
６  往復定圧部
７  制御部
８  カム用開口部
９  脚部
１０  固定プレート
１１  固定用アーム
１２  支持ボルト
１３  レバー露出部
１４  駆動モーター（図３）
１５  タイミングベルト
１６  駆動用カム
１７  ボルト
１８  ガイド取付け板（図４）
１９  ボルト
２０  ボルト
２１  第１のスライダーレール
２２  移動部
２３  カム当接コロ
２４  レバー当接コロ
２５  操作力切替え部
２６  第１のスライダー
２７  移動部プレート
２８  第１のコロ取付けブロック
２９  上側対向プレート
３０  下側対向プレート
３１  第２のスライダーレール
３２  ボルト
３３  ボルト
３４  ボルト
３５  ボルト
３６  ボルト
３７  ナット
３８  上側ストローク調整ビス
３９  軸ピン
４０  軸用ネジ穴
４１  ボルト
４２  第２のスライダー
４３  切替え部プレート
４４  第２のコロ取付けブロック
４５  上側スプリングシート
４６  下側スプリングシート
４７  操作力スプリング
４８  ボルト
４９  下側ストローク調整ビス
５０  ボルト
５１  ボルト
５２  ボルト
５３  Ｅ型ワッシャ
５４  軸ボルト
５５  軸ボルト貫通孔
５６  ピン貫通孔
５７  ナット
５８  スペーサー（図５、図６）
５９  治具（図５、図６）
６０  操作部（図１）
６１  開始ボタン
６２  停止ボタン
Ｌ  携帯式ラベル貼付機（図２）
Ｓ  携帯式ラベル貼付機Ｌの操作レバー（図２）
【図１】
0004028718.tif 000002
【図２】
0004028718.tif 000003
【図３】
0004028718.tif 000004
【図４】
0004028718.tif 000005
【図５】
0004028718.tif 000006
【図６】
0004028718.tif 000007